(57)【要約】      （修正有）【課題】小型且つ組み立てきわめて容易にして格別の設置スペースを必要とせず、収納、保管、持ち運びにもきわめて利便なコンパクトにしてモダンな後飾り祭壇を提供する。【解決手段】一段目の主祭壇面１を形成する一段目用の箱状体Ａの後部上に、当該一段目用の箱状体Ａと略同幅にて奥行きの少ない二段目の祭壇面２を形成する二段目用の箱状体Ｂを乗架組み合わせ、箱状体Ａ上面の主祭壇面１と前記箱状体Ｂ上面の二段目祭壇面２をもって二段からなる階段状の祭壇を構成する。【選択図】図１
0003210035.tif 000002
【実用新案登録請求の範囲】
【請求項１】
一段目の主祭壇面（１）を形成する一段目用の箱状体（A）の後部上に、当該一段目用の箱状体（A）と略同幅にて奥行きの少ない二段目の祭壇面（２）を形成する二段目用の箱状体（B）を乗架組み合わせ、箱状体（A）上面の主祭壇面（１）と前記箱状体（B）上面の二段目祭壇面（２）をもって二段からなる階段状の祭壇を構成することを特徴とする後飾り祭壇。
【考案の詳細な説明】
【技術分野】
【０００１】
本考案は、組み立て容易なきわめてコンパクトにしてモダンな後飾り祭壇に関するものである。
【背景技術】
【０００２】
我が国における一般的な仏式葬儀にあっては、死後四十九日までの中有とも呼ばれる中陰の期間を中陰壇とも呼ばれる後飾り祭壇を設えることが広く執り行われている。
【０００３】
従来、かかる後飾り祭壇としては３〜４段の祭壇を設けたもの等、複雑で嵩張り相応の設置スペースを必要とするものであって、施主に負担を掛けないような組み立て容易にして設置スペースを取らないコンパクトな祭壇は一般に見当たらず、葬祭業者に任せるか、或いは、各家庭において苦慮の下で適宜に執り行っているのが実状であったといえる。
【特許文献１】実開平０６−００９５８５号公報
【考案の開示】
【考案が解決しようとする課題】
【０００４】
本考案は、かかる実状に鑑みてこれを解決すべく案出したものであって、小型且つ組み立てきわめて容易にして格別の設置スペースを必要とせず、収納、保管、持ち運びにもきわめて利便なコンパクトにしてモダンな後飾り祭壇を提供することを目的とするものである。
【課題を解決するための手段】
【０００５】
本考案は、一段目の主祭壇面（１）を形成する一段目用の箱状体（A）の後部上に、当該一段目用の箱状体（A）と略同幅にて奥行きの少ない二段目の祭壇面（２）を形成する二段目用の箱状体（B）を乗架組み合わせ、箱状体（A）上面の主祭壇面（１）と前記箱状体（B）上面の二段目祭壇面（２）をもって二段からなる階段状の祭壇を構成することを特徴とする後飾り祭壇である。
【考案の効果】
【０００６】
本考案に係る後飾り祭壇は、主祭壇面（１）を形成する一段目用の箱状体（A）と当該箱状体（A）の後部上に乗架組み合わせる略同幅の二段目用の箱状体（B）という二つの箱状体（A）、（B）とから構成されるものであって、きわめてコンパクトであり、組み立て容易にして後飾り祭壇用の格別な設置スペースを必要とせず、必要最小限のスペースで事足りることから、机、タンス等の家具の上に手軽に設置できると共に保管時、運搬時にはコンパクトな収納状態を保持し得るから、持ち運び、取扱いにきわめて利便である。
【図面の簡単な説明】
【０００７】
【図１】本考案の後飾り祭壇の概観を示す斜視図である。
【図２】本考案の後飾り祭壇における右側面図である。
【図３】本考案の後飾り祭壇における平面図である。
【図４】本考案の後飾り祭壇における二段目用の箱状体の正面図である。
【考案を実施するための形態】
【０００８】
本考案は、主祭壇面（１）を形成する一段目用の箱状体（A)と該箱状主体（A）の後部上に乗架組み合わせる二段目の祭壇面（２）を形成する二段目用の箱状体（B)との二つの箱状体（A)、（B)からなるきわめて簡単な構造をもって、コンパクトにしてモダンな二段の後飾り祭壇を構成できるものである。
【実施例】
【０００９】
以下、本考案を図示する実施例に基づき説明する。
【００１０】
本考案は、主祭壇面（１）を形成する一段目用の箱状体（A）と当該箱状主体（A）の後部上に乗架組み合わせる二段目の祭壇面（２）を形成する奥行きの比較的狭い二段目用の箱状体（B）との略同幅の二つの箱状体（A）、（B）の組み合わせからなるきわめてシンプルな構成である。
【００１１】
一段目用の箱状体（A）は、図○に示すように主祭壇面（１）を形成するための箱状を呈するものであって、少なくとも外部から直接的に視認し得る上面板（３），前面板（４）、左右両側の妻板（５）、（６）は必須と言い得るが、外部から直接的に視認されることのない背面板、底面板については必ずしも設ける必要性はなく、省略することは一向に差し支えなく、本実施例にあっても、背面板、底面板を省略した状態で箱状体（A）を構成することができる。
【００１２】
上記した箱状体（A)の後部上に乗架組み合わせる二段目用の祭壇面（２）を形成する箱状体（B)は、図○に示すように箱状体（A）と略同幅にて奥行きの浅い箱状を呈するものであって、前記した箱状主体（A)の場合と同様に、少なくとも外部から直接的に視認し得る上面板（７），前面板（８）、左右両側の妻板（９）、（１０）は必須であるが、外部から直接的に視認されることのない背面板、底面板については必ずしも設ける必要性はなく、省略することは差し支えなく、本実施例にあっても背面板、底面板を省略した状態で箱状体（B）を構成することができる。
【００１３】
該箱状体（B)は、箱状体（A)の後部上に乗架組み合わせて二段目の祭壇面（２）を
形成し得るをもって足りるが、該箱状体（B)が一段目用の箱状体（A)に対し左右の相対的ずれを発生させるおそれがあることから、これを未然に防止する上から本実施例にあっては、該箱状体（B）の左右の両妻板（９）、（１０）を下方に延設して、該箱状体（B)を箱状本体（A)上に跨がせるように乗架させることによって、箱状体（B）の箱状本体（A)に対する相対的な横方向の位置ずれを制御できる構成となしている。
【００１４】
このように箱状体（B）を一段目用の箱状体（A)に乗架組み合わせる場合においては、箱状体（B)の幅は、一段目用の箱状体（A)に対して箱状体（B)の左右の妻板（９）、（１０）の板厚分だけ僅かに幅広を呈することとなる。
【００１５】
これに対して、二段目用の箱状体（B）を単に箱状体（A)の後部上に乗置せしめるだけで足りるとする場合には、二段目用の該箱状体（B）の幅は、一段目の箱状体（A)と全く同寸法の幅とすることができる。
【００１６】
上記のように主祭壇面（１）を形成する一段目の箱状体（A)の後部上に、二段目の祭壇面（２）を形成する二段目の箱状体（B)を乗架組み合わせることによって、コンパクトにしてモダンな二段式の後飾り祭壇を簡単に構成でき、箱状体(A)の一段目の主祭壇面（１）上には、焼香盆,お供え物等の適宜な葬祭用具を載置することができると共に、箱状体（B）の二段目の祭壇面（２）上には、燈明等を載置して後飾り祭壇とすることができる。
【００１７】
本考案は、きわめてコンパクトであるから、、家庭内のタンス、机等の家具上に狭いスペースでも設置できる。また、箱状体（A)を前方に引き出すことで一段目の主祭壇面（１）の前後長を拡開して、より多くの供養品を載置することができ、利便であると共に構造簡単にして製作容易であり、市場に廉価に提供することができる等の実用的効果を奏する。
【符号の説明】
【００１８】
A  一段目用の箱状体
B  二段目用の箱状体
１  一段目の主祭壇面
２  二段目の祭壇面
３  上面板
４  前面板
５  右妻板
６  左妻板
７  上面板
８  前面板
９  右妻板
１０  左妻板
【図１】
0003210035.tif 000003
【図２】
0003210035.tif 000004
【図３】
0003210035.tif 000005
【図４】
0003210035.tif 000006